(57)【要約】【課題】  右利きの人でも左利きの人でも容易で迅速なデータ入力が可能な操作性にすぐれたハンディーターミナルを提供する。【解決手段】  右利き用操作画面および左利き用操作画面を液晶表示部１１，２１で選択的に表示する。【選択図】      図１
2008234034.tif 000002
【特許請求の範囲】
【請求項１】
基体部およびこの基体部に開閉自在に設けられた蓋体部からなるハンディーターミナルにおいて、
前記基体部の内側および前記蓋体部の内側の少なくとも一方に設けられたタッチパネル式の表示部と、
右利き用操作画面および左利き用操作画面を前記表示部で選択的に表示する制御手段と、
を備えていることを特徴とするハンディーターミナル。
【請求項２】
前記右利き用操作画面は、前記基体部が左手で持たれながら前記蓋体部が右方向に開かれた状態で右手指により操作され、
前記左利き用操作画面は、前記基体部が天地反転されて右手で持たれながら前記蓋体部が左方向に開かれた状態で左手指により操作される、
ことを特徴とする請求項１に記載のハンディーターミナル。
【請求項３】
前記制御手段は、
利き手を指定するための指定用操作画面を、必要に応じて、前記表示部で表示する手段と、
前記基体部が左手で持たれながら前記蓋体部が右方向に開かれた状態で右手指により操作される右利き用操作画面、および前記基体部が天地反転されて右手で持たれながら前記蓋体部が左方向に開かれた状態で左手指により操作される左利き用操作画面を、前記指定用操作画面の操作に応じて選択的に、前記表示部で表示する手段と、
を有することを特徴とする請求項１に記載のハンディーターミナル。
【請求項４】
前記基体部が左手で持たれている状態で左手親指により操作される第１操作キーと、
前記基体部が右手で持たれている状態で右手親指により操作される第２操作キーと、
をさらに備えていることを特徴とする請求項１に記載のハンディーターミナル。
【請求項５】
前記基体部が左手で持たれている場合にその左手親指により操作され、前記基体部が天地反転されて右手で持たれている場合にその右手親指により操作される共通操作キー、をさらに備えていることを特徴とする請求項１に記載のハンディーターミナル。
【発明の詳細な説明】
【技術分野】
【０００１】
この発明は、レストラン等の飲食店で顧客からオーダーされる商品のデータ入力に使用されるハンディーターミナルに関する。
【背景技術】
【０００２】
ファミリーレストラン等の飲食店における商品メニューや季節商品の増加等に対処し、顧客からオーダーされる商品のデータを係員が手元で容易にしかも迅速に入力して厨房に無線送信できるハンディーターミナル（例えば特許文献１）が多く使用されている。  
このハンディーターミナルは、基体部とその基体部にヒンジを介して開閉自在に設けられた蓋体部とからなり、基体部を左手で持った状態で蓋体部を右方向に開くことにより、基体部の内側にあるデータ入力用の操作面が露出する。蓋体部の内側にもデータ入力用の操作面を設けているものがある。これら操作面を右手指でタッチ操作することにより、顧客からオーダーされた商品のデータを入力することができる。入力されたデータは、厨房に設置されている受信装置（アクセスポイントともいう）に向けて無線送信される。
【特許文献１】特開２００５―２７６０８１号公報
【発明の開示】
【発明が解決しようとする課題】
【０００３】
現状のハンディーターミナルは、基体部を左手で持った状態で蓋体部を右方向に開き、露出した操作面を右手指でタッチ操作するというように、右利きの人の使用を前提に作られている。
【０００４】
このため、左利きの人にとっては、操作し難い。操作し難いために、データ入力に遅れを生じることが多い。
【０００５】
この発明は、上記の事情を考慮したもので、右利きの人でも左利きの人でも容易で迅速なデータ入力が可能な操作性にすぐれたハンディーターミナルを提供することを目的とする。
【課題を解決するための手段】
【０００６】
請求項１に係る発明のハンディーターミナルは、基体部およびこの基体部に開閉自在に設けられた蓋体部からなるものであって、基体部の内側および蓋体部の内側の少なくとも一方に設けられたタッチパネル式の表示部と、右利き用操作画面および左利き用操作画面を上記表示部で選択的に表示する制御手段と、を備えている。
【発明の効果】
【０００７】
この発明のハンディーターミナルによれば、右利き用操作画面および左利き用操作画面のいずれかを選択的に表示することができる。これにより、右利きの人でも左利きの人でも操作性が向上し、容易で迅速なデータ入力が可能となる。
【発明を実施するための最良の形態】
【０００８】
以下、この発明の一実施形態について図面を参照して説明する。  
図１において、１はハンディーターミナルで、基体部１０とその基体部１０にヒンジ２，３を介して開閉自在に連結された蓋体部２０とからなる。使用時は、図示のように蓋体部２０が右方向に開かれることにより、基体部１０の内側のタッチパネル式の液晶表示部１１および蓋体部２０の内側のタッチパネル式の液晶表示部２１が露出する。非使用時は、蓋体部２０を左方向に閉じて、係員のポケットなどに収容することができる。
【０００９】
基体部１０におけるタッチパネル式の液晶表示部１１は、商品名の文字、商品の図形、商品の絵文字など多数の操作パターンがほぼ上半分側に縦横に配列表示された操作パターン領域１１ａと、数値キーや文字キーが下方側に配列表示されたキー領域１１ｂとに、分かれている。蓋体部２０の内側のタッチパネル式の液晶表示部２１は、商品名の文字、商品の図形、商品の絵文字など多数の操作パターンが前面にわたって縦横に配列表示された操作パターン領域２１ａとなっている。
【００１０】
図１の液晶表示部１１，２１に表示されているのは右利き用操作画面であり、基体部１０が左手で持たれながら蓋体部２０が右方向に開かれることにより露出し、右手指でタッチ操作することができる。
【００１１】
また、図２に示すように、基体部１０の長手方向に沿う側面部に、第１操作キー１２および第２操作キー１３が互いに離れた状態で設けられている。第１操作キー１２は、データ入力したオーダーの例えば確定キーとして用いられるもので、基体部１０が左手で持たれている場合に左手の親指により押圧操作することができる。第２操作キー１３は、後述の左利き用のもので、同様に、データ入力したオーダーの確定キーとして用いられる。
【００１２】
このハンディーターミナル１の制御回路を図３に示している。  
まず、基体部１０に主制御用のＣＰＵ１００が搭載され、そのＣＰＵ１００にタッチパネル１０１、ＬＣＤ表示モジュール１０２、無線部１０３、制御プログラム記憶用のＲＯＭ１０４、データ記憶用のＲＡＭ１０５、文字・図形・絵文字などパターンデータ記憶用のＲＯＭ１０６、および上記操作キー１２，１３が接続されている。
【００１３】
タッチパネル１０１およびＬＣＤ表示モジュール１０２により、基体部１０におけるタッチパネル式の液晶表示部１１が構成されている。すなわち、操作パターンや操作キーの画像がＬＣＤ表示モジュール１０２で表示され、それがタッチパネル１０１上に透過表示される。
【００１４】
無線部１０３は、アンテナ１０３ａを付属して備え、ＣＰＵ１００から供給されるデータを特定のＩＤコードと共に送信し、かつ外部機器から送信されたデータを受信してＣＰＵ１００に供給する機能を有する。
【００１５】
蓋体部２０にはタッチパネル２０１およびＬＣＤ表示モジュール２０２が設けられ、これらが折れ曲がり自在な配線ケーブルを介して基体部１０側のＣＰＵ１００に接続されている。このタッチパネル２０１およびＬＣＤ表示モジュール２０２により、蓋体部２０におけるタッチパネル式の液晶表示部２１が構成されている。すなわち、操作パターンや操作キーの画像がＬＣＤ表示モジュール２０２で表示され、それがタッチパネル２０１上に透過表示される。
【００１６】
ＣＰＵ１００は、主要な機能として、次の（１）（２）を有する。  
（１）図４に示すように、利き手を指定するための指定用操作画面１１ｃを、後述の利き手変更コードが入力されたときなど、必要に応じて、基体部１０の液晶表示部１１で表示する手段。指定用操作画面１１ｃには、左用釦、右用釦、および案内文『右利き用、左利き用のいずれかを指定してください』の表示が含まれている。
【００１７】
（２）基体部１０が左手で持たれながら蓋体部２０が右方向に開かれた状態で右手指により操作される右利き用操作画面（図１の液晶表示部１１の操作パターン領域１１ａとキー領域１１ｂの表示および液晶表示部２１の操作パターン領域２１ａの表示）、および基体部１０が天地反転されて右手で持たれ且つ蓋体部２０が左方向に開かれた状態で左手指により操作される左利き用操作画面（後述の図５の表示）を、上記指定用操作画面１１ｃの操作に応じて選択的に、液晶表示部１１，２１で表示する手段。
【００１８】
作用を説明する。  
ハンディーターミナル１の出荷時、初期設定画面として、図１に示す液晶表示部１１の操作パターン領域１１ａの表示とキー領域１１ｂの表示および液晶表示部２１の操作パターン領域２１ａの表示からなる右利き用操作画面が液晶表示部１１，２１で表示される。
【００１９】
ハンディーターミナル１の使用者が右利きであれば、このまま右利き用操作画面が使用される。すなわち、基体部１０が左手で持たれながら蓋体部２０が右方向に開かれ、この状態で液晶表示部１１，２１が右手指でタッチ操作されることにより、顧客のオーダーをデータ入力することができる。このデータ入力は、基体部１０を持つ左手の親指で操作キー１２が押圧操作されることにより、確定される。なお、この場合、操作キー１３については、何の機能も設定されず、押圧操作されてもその操作は無効である。
【００２０】
ハンディーターミナル１の使用者が左利きの場合、使用者は、液晶表示部１１のキー領域１１ｂを操作して予め定められている利き手変更コードを入力する。この利き手変更コードの入力により、図４に示す指定用操作画面１１ｃが基体部１０の液晶表示部１１で表示される。  
指定用操作画面１１ｃの左用釦がタッチ操作されると、図５に示すように、基体部１０が天地反転されて右手で持たれながら蓋体部２０が左方向に開かれた状態で左手指により操作される左利き用操作画面が、液晶表示部１１，２１で表示される。すなわち、蓋体部２０における液晶表示部２１のほぼ上半分側に操作パターン領域２１ａが表示され下方側にキー領域２１ｂが表示されるとともに、基体部１０における液晶表示部１１の全面に操作パターン領域１１ａが表示される。
【００２１】
こうして左利き用操作画面が表示されることにより、左利きの使用者は、基体部１０を天地反転して右手で持ちながら蓋体部２０を左方向に開き、この状態で液晶表示部１１，２１を左手指でタッチ操作することにより、顧客のオーダーを容易かつ迅速にデータ入力することができる。このデータ入力は、基体部１０を持つ右手の親指で操作キー１３が押圧操作されることにより、確定される。なお、この場合、操作キー１２については、何の機能も設定されず、押圧操作されてもその操作は無効である。
【００２２】
このように、右利き用操作画面および左利き用操作画面を液晶表示部１１，２１で選択的に表示できることにより、右利きの人でも左利きの人でも、良好な操作性を確保することができ、容易で迅速なデータ入力が可能となる。ひいては、顧客応対に要する時間が短縮され、作業効率の向上が図れる。
【００２３】
使用者が左利きの人から右利きの人に変わった場合は、液晶表示部２１のキー領域２１ｂを操作して利き手変更コードを入力し、図４に示したのと同じ指定用操作画面を液晶表示部２１で表示し、右用釦にタッチ操作すればよい。これにより、左利き用操作画面から右利き用操作画面に切換わる。
【００２４】
なお、上記実施形態では、基体部１０の長手方向に沿う側面部に左手親指用の操作キー１２と右手親指用の操作キー１３を設けたが、図６に示すように、基体部１０の長手方向に沿う側面部のほぼ中央に、左手親指用および右手親指用として共通に使用される共通操作キー１４を設けてもよい。
【００２５】
その他、この発明は上記実施形態に限定されるものではなく、要旨を変えない範囲で種々変形実施可能である。
【図面の簡単な説明】
【００２６】
【図１】一実施形態の構成および右利き用操作画面を示す図。
【図２】一実施形態の側面部の２つの操作キーを示す図。
【図３】一実施形態の制御回路のブロック図。
【図４】一実施形態の指定用操作画面を示す図。
【図５】一実施形態の基体部と表示部が天地反転した状態および左利き用操作画面を示す図。
【図６】一実施形態の変形例として側面部の共通操作キーを示す図。
【符号の説明】
【００２７】
１…ハンディーターミナル、２，３…ヒンジ、１０…基体部、１１…タッチパネル式の液晶表示部、１１ａ…操作パターン領域、１１ｂ…キー領域、１２，１３…操作キー、１４…共通操作キー、２０…蓋体部、２１…タッチパネル式の液晶表示部、２１ａ…操作パターン領域、２１ｂ…キー領域、１００…ＣＰＵ、１０３…無線部、１０１…タッチパネル、１０２…ＬＣＤ表示モジュール、２０１…タッチパネル、２０２…ＬＣＤ表示モジュール
【図１】
2008234034.tif 000003
【図２】
2008234034.tif 000004
【図３】
2008234034.tif 000005
【図４】
2008234034.tif 000006
【図５】
2008234034.tif 000007
【図６】
2008234034.tif 000008